(57)【要約】 【課題】  本発明は、自動車停止時のテーブルの提供を課題とし、特に係止突辺部のテーブル部の重みによる撓みによるきっちりとした係止とテーブル部を水平に保つことを可能とする自動車用テーブルの提供を課題とする。【解決手段】  係る課題を解決するため、自動車用テーブルの奥側側辺部の両端部方向に係止突辺部を有した上、それぞれ中央方向に向けて舌片部と先端部のふくらみ部を有し、この係止突辺部で形成された空間部分にハンドルを差し入れてテーブル部の重みで係止突辺部が撓むことによって係止し、テーブルを水平方向に設置する自動車用テーブルを提供するものである。【選択図】    図１
2008290597.tif 000002
【特許請求の範囲】
【請求項１】
自動車のハンドルに着脱自在の自動車用テーブルであって、
該テーブル基体１の奥側側辺部１１の両端部方向にそれぞれ突出形成した係止突辺部２を有し、
該係止突辺部２はそれぞれ中央方向に向けて舌片部２１を有し、先端部は手前方向にふくらみ部２２を有し、
該テーブル基体１の奥側側辺部１１の両端部方向の係止突辺部２によって形成された空間部分にハンドルＳを差し入れることによって、
係止突辺部２の舌片部２１のふくらみ部２２を形成する内側側辺部分２２０と、基体１の奥側側辺部１１の係止突辺部２の付け根部周囲の内側側辺部１１１とによってハンドルが挟まれるものであり、
テーブル部３の重みにより係止突辺部２が撓んで、ハンドルに係止すると共にテーブルを水平方向に設置することが可能であることを特徴とする自動車用テーブル。
【請求項２】
テーブル部３の表面に滑り止め部材を配したことを特徴とする請求項１記載の自動車用テーブル。
【発明の詳細な説明】
【技術分野】
【０００１】
本発明は、自動車の停車時において、運転席でノート型パソコンの使用や食事等を行なうための運転席のハンドルに着脱自在の自動車用テーブルに関する。
【背景技術】
【０００２】
従来より、自動車の停車時において運転席で食事を行う際や何らかの書き物をする際或いはパソコンを行う際に便利なテーブルやパソコン台等の各種商品が用いられてきたものである。
特に運転席においてハンドルを用いてテーブル類の設置を可能とするものとしては特開２００１−２４６９７４号（特許文献１）に示す折り畳み式車内ノートパソコンテーブルや特開２００１−２８６３４８号（特許文献２）に示す自動車ハンドルに取り付け可能な小テーブルが存在する。
【０００３】
これらはハンドル対して取り付けるためのテーブル以外の部材例えば引っ掛け手段や二枚の足等を用いてハンドルにかける構造よりなるものである。
この他特開２００２−８７１３５号（特許文献３）に示す自動車用取り付け台も存在するが、これも差し込み片によってハンドルに固着するものである。
この他、特開２００３‐１９９２５号（特許文献４）に示すハンドル取り付けテーブルも存在し、該構成は支持金具をもってハンドルに固着するものである。
【特許文献１】特開２００１−２４６９７４号
【特許文献２】特開２００１−２８６３４８号
【特許文献３】特開２００２−８７１３５号
【特許文献４】特開２００３‐１９９２５号
【発明の開示】
【発明が解決しようとする課題】
【０００４】
以上の様に、自動車のハンドルを用いて、該ハンドルに固着するテーブルやパソコン台は従来より存在する。
しかし、まず特許文献１によればそのままハンドルの正面に背板が接着状態で位置することから不必要な衝撃を与えることでクラクションが不意に鳴る等の弊害を有し、更に折り畳み形状であって構造が複雑で高価となってしまうという欠点があった。
次に特許文献２に関しては、同様に折り畳み形状であり、どうしても製造コストが掛かるものであり、更には二つの足のハンドルへの係止など設置作業も複数の手順を必要とするものであり、よりコンパクトで低廉なテーブル台類の提供が望まれていた。
【０００５】
次に特許文献３は、ハンドルに掛けることによって台の重みで係止できる点は極めて有用である反面明細書中に示すように差し込み片を必要とし、これをもって初めてハンドルに固定されるものであることから、その差し込み片の設置作業の手間が煩雑であり、使い勝手を悪くするものである。
又、差し込み片を前提とすることから該テーブルは長孔を有する形態であって、テーブル本体と長孔をはさんで梁状部材を有することが前提となる。
従ってハンドルの長孔への挿入は梁状部材が邪魔となっていれにくい面を有している。
【０００６】
更に、特許文献４は、支持金具を用いてテーブルをハンドルに設置するものであり、支持金具が緩むとがたつきが生じ、がたつかず又スムーズに支持金具の移動を保つように製造するとどうしても精密に製造しなければならず、高価となりやすい上に精密性を保つことが要求されざるを得ないものとなる。
従って、何れもハンドルに固定できる点で有効であるが、製造コストや精密性が要求されるものであり、更にはハンドルへの設置に際して煩雑な設置手順を要求されるものであった。
更にはテーブル類例えばパソコン台上において使用時にパソコンがずれてしまったり或いは食事に際してのコップ類が倒れてしまうなどのことは極力避けることが必要であって、何らかの滑り止めがなされていることが必要である。
【課題を解決するための手段】
【０００７】
係る点に鑑み、請求項１に係る発明は、自動車のハンドルに着脱自在の自動車用テーブルであって、該自動車用テーブルの基体の奥側側辺部の両端部方向にそれぞれ突出形成した係止突辺部を有し、該係止突辺部はそれぞれ中央方向に向けて舌片部を有し、先端部は手前方向にふくらみ部を有し、テーブル基体の奥側側辺部の両端部方向の係止突辺部によって形成された空間部分にハンドルを差し入れることによって、係止突辺部の舌片部のふくらみ部を形成する内側側辺部分と、基体の奥側側辺部の係止突辺部の付け根部周囲の内側側辺部とによってハンドルが挟まれるものであり、テーブル部の重みにより係止突辺部が撓んで、ハンドルに係止すると共にテーブル部を水平方向に設置する自動車用テーブルよりなるものであり、係る構成によって前記課題をみごとに解決するものである。
又、請求項２に係る発明はテーブル部の表面に滑り止め部材を配した自動車用テーブルよりなるものであり、係る発明によってテーブル部上に載置すべき物品のすべりを制御できるものである。
【発明の効果】
【０００８】
以上のように構成したことから、自動車停止時に運転席で簡単にパソコンの操作を可能とすると共にその他の作業台としても使用することができるものである。
特に、基体両端から突出形成した係止突辺部によってハンドルを挟み込むものであり、この係止突辺部のテーブル部の重みによる撓みによってきっちりとした係止ができるものであると共にテーブル部を水平に保てるものであり、更には突出部での係止による着脱であることから、ハンドルへの着脱が簡単かつ容易に行なえるものである。
【発明を実施するための最良の形態】
【０００９】
図１は、本発明に係る自動車用テーブルの一実施例を示す図であり、テーブル基体１と該テーブル基体１の奥側側辺部１１の両端部方向にそれぞれ突出形成した係止突辺部２とからなるものである。
該係止突辺部２はそれぞれ中央方向に向けて舌片部２１を有し、先端部は手前方向にふくらみ部２２を有して形成されている。
更に基体１の奥側側辺部１１の中央部分１１０は弧状にやや膨らんで構成されているものである。
この様に構成することによってテーブル基体１の奥側側辺部１１の両端部方向の係止突辺部２によって形成された空間部分にハンドルＳを差し入れることができるものである。
【００１０】
これによって係止突辺部２の中央方向に向けて設けた舌片部２１の先端部のふくらみ部２２によって形成されるその切り欠きによる空間部にハンドルが位置し、この部分であるふくらみ部２２を形成する内側側辺部分２２０と基体１の奥側側辺部１１の係止突辺部２の付け根部周囲の内側側辺部１１１によって挟まれるものとなる。
この場合基体１は手前側にテーブル部３を有していることからこの重みが掛かり、手前側に力が加わることから該係止突辺部２周囲に力が係るものとなってハンドルＳの引っ掛け部分に力が加わった上できっちりと固着することとなる。
【００１１】
尚、ハンドルの運転席への傾斜設置に対応して、該テーブル部３の重みで手前側へ力が加わることによる手前側に傾いた設置となり、両者があいまって設置テーブルのテーブル部３の設置角度がほぼ水平など任意の必要な角度を保って設置できるものである。
もとよりふくらみ２２を形成する内側側辺部分２２０と基体１の奥側側辺部１１の係止突辺部２の付け根部周囲の内側側辺部１１１において適宜必要な傾斜角度をつけることによってもテーブル部の任意角度でのハンドルへの設置が可能である。
【００１２】
これらの場合該テーブルに関しては硬質樹脂部材であればよく、例えばフェノール樹脂、ユリア樹脂、メラミン樹脂、ポリエステル樹脂、シリコン樹脂、ポリスチレン、ＡＢＳ樹脂、ポリエチレン、ポリプロピレン、カーボン樹脂等を用いたものであってもよい。
或いは紙素材やダンボール素材、或いは木製、或いはメタル部材等の金属製等のものを用いてもよい。
更に、該テーブル部３の中央部には、滑り止め部材４が貼着している。  これによってテーブル部３上に載置するノートパソコン等の滑り止めを行う得るものとなる。
この滑り止め部材４としては、例えばゴム引きやクッション材等のほか、摩擦係数の高い各種素材を用いたものであってもよい。
【００１３】
図２は、該テーブルのテーブル部３の反対面を示す図であり、この面には例えば中央部に凹み部６や或いはカップ類の径よりもやや大きい径の凹み部５を有しているものである。
この様に構成することによって表面を返して裏面を上に向けてハンドルに設置すればこの面形状を用いて各種作業を行なうことが容易となり例えば効率的に飲食が可能となる。
本図に示す凹み部分５の形状は特に食事をする際に飲み物を入れたカップを載置すべき箇所或いは弁当類や食べ物類をこぼすことなく凹み部６により載置可能とする形状の一例を示す図である。
【００１４】
従って、この形状は例えばこの形状の部分のみを凹みを設けて構成して周囲を壁状に覆うものでよい。
更に、この様な各種形状の凹み部に限らず、この他例えばテーブル部の外周部に沿って外周に突出部を形成するものであってもよい。
以上のように、該テーブルの表裏面を逆にして、任意の凹凸を有する面を表面としてハンドルに設置し、この面を用いて必要な作業を行なうことができるものであり、各種品物をテーブル部上に載置可能とする。
【００１５】
もとより、この面に滑り止め部材を有するものであってももちろんよい。
更にこの裏面に関して、何らの凹凸も無い単なる平面をもって構成するものであっても、或いは単に滑り止め部材を配設するものであってもよい。
また、表面における滑り止め部の内面からなるテーブル面を有するパソコン用のテーブルであってももちろんよいものである。
【００１６】
図３は、本発明に係る自動車用テーブルを車のハンドルＳに設置した一例を示す図である。
本図に示すようにハンドルＳの下部分が本発明に係るテーブルの両端方向の係止突辺部２に挟まれた状態で係止されるものである。
この場合ハンドルＳは、奥側側辺部１１の係止突辺部２の付け根部周囲の内側側辺部１１１と係止突辺部２のふくらみ部２２の内側側辺部分２２０との間に挟まれて係止されるものであり、テーブル部分３の重みによって基体１の手前側側辺部１２方向に重みが掛かり、該係止されているハンドル部分Ｓをもって支点として力が加わることから、該係止突辺部２に引っかかりの力が加わってきっちりと押さえられると共に傾斜しているハンドルＳの設置角度に対してテーブル部３の傾斜角度をほぼ水平に保つことができる。
【００１７】
特に両端部分に係止突辺部２を構成したことから、ハンドルへの設置及び取り外しが容易となるものであって、使い勝手が向上する。
更に、最も大きな点は基体１の両端方向から突出形成しているこの係止突辺部２は、テーブル部３等の重みで撓むものであり、テーブルの傾斜角度を水平に保ちやすくできるものであり、更には撓むことによってハンドル部分Ｓにきっちりと係止され、不用意なハンドルとＳからの抜け落ちやずれがなくなるものである。
【００１８】
図４は、テーブル部３上にノート型のパソコンＣを載置した状態を示す図である。
この様に設置することによって自動車の停車時において運転席でパソコンの操作を簡単かつ確実に行なうことができるようにハンドルにパソコン台の設置を可能とすると共に、更にはテーブル面の滑り止め部によって使い勝手を向上することができ、更にはテーブル面の構成によって各種の作業に適切に合致する作業面の提供を可能とするものである。
従って、パソコンの操作に限らず各種操作や行動例えば食事や読書などに際して、簡単に必要なテーブルの設置を可能とする。  
【図面の簡単な説明】
【００１９】
【図１】本発明に係る自動車用テーブルの一例を示す図
【図２】図１に係る自動車用テーブルの裏面の構成の一例を示す図
【図３】本発明に係る自動車用テーブルを自動車のハンドルに装着した一例を示す図
【図４】使用状態の一例を示す図
【符号の説明】
【００２０】
１      テーブル基体
１１    奥側側辺部
１１０  奥側側辺部の中央部分
１１１  係止突辺部の付け根部周囲の奥側側辺部の内側側辺部
１２    手前側側辺部
２      係止突辺部
２１    舌片部
２２    ふくらみ部
２２０  ふくらみ部の内側側辺部分
３      テーブル部
４      滑り止め部材
５      凹み部
６      凹み部
Ｓ      ハンドル
Ｃ      ノート型のパソコン
【図１】
2008290597.tif 000003
【図２】
2008290597.tif 000004
【図３】
2008290597.tif 000005
【図４】
2008290597.tif 000006